(57)【要約】【課題】ステッピングモータに供給する電流の大きさを容易に変更できる遊技機を提供することを目的とする。【解決手段】本発明の一態様に係る遊技機は、ステッピングモータと、電圧参照端子を有し、前記電圧参照端子に印加される参照電圧に応じて決定される定電流を用いて前記ステッピングモータを駆動制御するドライバＩＣと、演出制御基板又は検査用冶具から出力される基準信号を入力可能であり、前記基準信号に基づいて生成される参照電圧を前記電圧参照端子に印加する参照電圧生成回路とを備え、前記参照電圧生成回路が、前記基準信号に基づいて２種類以上の異なる前記参照電圧を生成可能である。【選択図】図４
2020006035.tif 000002
【特許請求の範囲】
【請求項１】
ステッピングモータと、
電圧参照端子を有し、前記電圧参照端子に印加される参照電圧に応じて決定される定電流を用いて前記ステッピングモータを駆動制御するドライバＩＣと、
演出制御基板又は検査用冶具から出力される基準信号を入力可能であり、前記基準信号に基づいて生成される参照電圧を前記電圧参照端子に印加する参照電圧生成回路と
を備え、
前記参照電圧生成回路が、前記基準信号に基づいて２種類以上の異なる前記参照電圧を生成可能である遊技機。
【請求項２】
前記参照電圧生成回路が、前記基準信号を入力可能な論理素子を有し、前記論理素子からの出力信号に基づいて２種類以上の異なる前記参照電圧を生成可能である請求項１に記載の遊技機。
【請求項３】
前記参照電圧生成回路が、前記論理素子からの出力信号に基づいて駆動状態を切り換え可能なトランジスタを２以上有し、前記トランジスタの駆動状態に応じて異なる前記参照電圧を生成可能である請求項２に記載の遊技機。
【請求項４】
前記参照電圧生成回路が、第１のトランジスタを有する第１の配線と、前記第１の配線と並列に配設され、第２のトランジスタを有する第２の配線と、前記第１の配線及び前記第２の配線の合流部と定電圧電源との間に接続される第３の配線と、前記合流部と前記電圧参照端子との間に接続される第４の配線とを有し、入力される前記基準信号の種類に応じて前記第１のトランジスタ及び前記第２のトランジスタのいずれか一方を駆動可能である請求項３に記載の遊技機。
【請求項５】
前記ドライバＩＣ及び前記参照電圧生成回路が、遊技盤面内の基板に設けられる請求項１から請求項４のいずれか１項に記載の遊技機。
【請求項６】
前記参照電圧生成回路が、前記演出制御基板から出力されるＨレベルの基準信号を入力可能であり、前記検査用冶具から出力されるＬレベルの基準信号を入力可能である請求項１から請求項５のいずれか１項に記載の遊技機。
【発明の詳細な説明】
【技術分野】
【０００１】
本発明は、遊技機に関する。
【背景技術】
【０００２】
可動部材を動作させる遊技機が知られている。例えば、可動部材を動作させるステッピングモータを定電流で駆動制御する遊技機が提案されている（特許文献１）。
【先行技術文献】
【特許文献】
【０００３】
【特許文献１】特開２０１５−１８０２７７号公報
【発明の概要】
【発明が解決しようとする課題】
【０００４】
ところで、遊技機の量産時においては、モータのトルクを意図的に低下させた状態で、モータが可動部材を動作させることができるか否かが検査される。この検査の際には、モータに供給する電流の大きさを遊技時よりも小さく変更するための専用の検査用冶具が必要となる。しかしながら、この検査のために専用の検査用冶具を用いることは煩わしく、特に可動部材を動作させるユニットが遊技盤の深部に組み込まれる場合には、組み込み後の検査が困難である。
【０００５】
本発明は、上述のような事情に基づいてなされたものであり、ステッピングモータに供給する電流の大きさを容易に変更できる遊技機を提供することを目的とする。
【課題を解決するための手段】
【０００６】
上記課題を解決するためになされた本発明の一態様に係る遊技機は、ステッピングモータと、電圧参照端子を有し、前記電圧参照端子に印加される参照電圧に応じて決定される定電流を用いて前記ステッピングモータを駆動制御するドライバＩＣと、演出制御基板又は検査用冶具から出力される基準信号を入力可能であり、前記基準信号に基づいて生成される参照電圧を前記電圧参照端子に印加する参照電圧生成回路とを備え、前記参照電圧生成回路が、前記基準信号に基づいて２種類以上の異なる前記参照電圧を生成可能である。
【０００７】
当該遊技機においては、前記参照電圧生成回路が、前記基準信号を入力可能な論理素子を有し、前記論理素子からの出力信号に基づいて２種類以上の異なる前記参照電圧を生成可能であるとよい。
【０００８】
当該遊技機においては、前記参照電圧生成回路が、前記論理素子からの出力信号に基づいて駆動状態を切り換え可能なトランジスタを２以上有し、前記トランジスタの駆動状態に応じて異なる前記参照電圧を生成可能であるとよい。
【０００９】
当該遊技機においては、前記参照電圧生成回路が、第１のトランジスタを有する第１の配線と、前記第１の配線と並列に配設され、第２のトランジスタを有する第２の配線と、前記第１の配線及び前記第２の配線の合流部と定電圧電源との間に接続される第３の配線と、前記合流部と前記電圧参照端子との間に接続される第４の配線とを有し、入力される前記基準信号の種類に応じて前記第１のトランジスタ及び前記第２のトランジスタのいずれか一方を駆動可能であるとよい。
【００１０】
当該遊技機においては、前記ドライバＩＣ及び前記参照電圧生成回路が、遊技盤面内の基板に設けられるとよい。
【００１１】
当該遊技機においては、前記参照電圧生成回路が、前記演出制御基板から出力されるＨレベルの基準信号を入力可能であり、前記検査用冶具から出力されるＬレベルの基準信号を入力可能であるとよい。
【発明の効果】
【００１２】
本発明の一態様に係る遊技機は、ステッピングモータに供給する電流の大きさを容易に変更できる。
【図面の簡単な説明】
【００１３】
【図１】本発明の一実施形態に係る遊技機を示す模式的正面図である。
【図２】図１の遊技機における遊技盤の盤面構成を示す模式的正面図である。
【図３】図１の遊技機の電気的構成を示すブロック図である。
【図４】図１の遊技機の可動部材移動機構の回路構成の第１例を模式的に示す模式的回路図である。
【図５】図１の遊技機の可動部材移動機構の回路構成の第２例を模式的に示す模式的回路図である。
【図６】図１の遊技機の可動部材移動機構の回路構成の第３例を模式的に示す模式的回路図である。
【図７】図１の遊技機の可動部材移動機構の回路構成の第４例を模式的に示す模式的回路図である。
【発明を実施するための形態】
【００１４】
以下、本発明の実施形態に係る遊技機について図を参照しつつ詳説する。
【００１５】
［遊技機の構成］
遊技機１は、図１に示すように、正面側に前面枠２を備えている。図１には図示されていないが、遊技機１は、本体枠と、この本体枠の正面側に配設され、本体枠の側辺において回動可能に軸支される中枠とを備えており、前面枠２は、この中枠の正面側に配設され、中枠における本体枠に軸支される側の側辺で回動可能に軸支されている。前面枠２は、正面視で略長方形に形成されており、中央上部に透明な窓部２ａを有している。また、遊技機１は、中枠の正面側に後述する遊技盤１０を備えている。そして、前面枠２の窓部２ａを通して遊技盤１０が視認可能となっている。なお、以下では、遊技機１の正面に向かって左側（図面における左側）を単に左側とし、その逆側を右側としている。
【００１６】
前面枠２の中央頂部には、発光により演出を行うためのランプ３が設けられており、このランプ３の左右には、音響により演出を行うための一対の上部スピーカー４ａが設けられている。また、前面枠２の下部には、音響により演出を行うための左右一対の下部スピーカー４ｂが設けられている。
【００１７】
前面枠２の窓部２ａの下方には、貸し出される遊技球や払い出される遊技球を貯留するための上皿５が設けられており、この上皿５の下方には、上皿５が一杯になった際の余分な遊技球を貯留するための下皿６が設けられている。
【００１８】
前面枠２の右下部には、遊技球を遊技盤１０内に発射するための発射ハンドル７が設けられている。遊技機１では、遊技者が前面枠２の窓部２ａを通して遊技盤１０を目視しつつ発射ハンドル７を操作することによって遊技が進行する。また、上皿５の中央正面側の縁部には、演出を実行するための演出操作部８（演出ボタン）が設けられており、遊技機１は、遊技者が遊技中の所定の演出タイミングにおいて演出操作部８を操作すると、所定の演出が実行されるように構成されている。
【００１９】
［遊技盤の構成］
遊技盤１０は、図２に示すように、正面側に遊技領域１０ａとセグメント表示領域１０ｂとを有しており、これらの領域は、前面枠２の窓部２ａを通して視認可能に形成されている。遊技領域１０ａは、遊技盤１０の中央の広い範囲に形成される一方、セグメント表示領域１０ｂは、遊技盤１０の右下部の狭い範囲に形成されている。
【００２０】
遊技盤１０は、遊技領域１０ａの略中央に液晶表示装置１１を備えている。液晶表示装置１１は、表示画面内に様々な演出画像及び演出映像を表示可能であり、遊技の進行に応じて様々な演出表示を行うように構成されている。また、遊技領域１０ａにおける液晶表示装置１１の周囲は、遊技球の流下領域となっており、遊技球は、この領域に配設される釘等によって移動方向を変化させながら流下する。
【００２１】
遊技領域１０ａの中央下部には、遊技領域１０ａを流下する遊技球を受入可能な第１始動口１２が設けられており、この第１始動口１２の内部には、第１始動口１２への遊技球の入球（入賞）を検出可能な第１始動口センサー１２ａが設けられている。遊技機１は、第１始動口１２への入球を検出すると、所定数の遊技球を上皿５へ払い出すとともに、第１特図に関する当否判定情報を取得するように構成されている。
【００２２】
第１始動口１２の下方には、第２始動口１３が設けられており、この第２始動口１３の内部には、第２始動口１３への入球（入賞）を検出可能な第２始動口センサー１３ａが設けられている。遊技機１は、第２始動口１３への入球を検出すると、所定数の遊技球を上皿５へ払い出すとともに、第２特図に関する当否判定情報を取得するように構成されている。
【００２３】
遊技盤１０は、遊技領域１０ａの左側を流下する遊技球を第１始動口１２へ導きやすく、遊技領域１０ａの右側を流下する遊技球を第２始動口１３へ導きやすいように構成されている。
【００２４】
遊技領域１０ａの中央右部には、遊技領域１０ａを流下する遊技球が通過可能な作動ゲート１４が設けられており、この作動ゲート１４の内部には、作動ゲート１４を通過する遊技球を検出可能なゲートセンサー１４ａが設けられている。遊技機１は、作動ゲート１４において遊技球の通過を検出すると、普通図柄抽選を行うように構成されている。
【００２５】
第１始動口１２は、遊技球を常に受入可能に構成されている。一方、第２始動口１３は、図示しない開閉部材を備えており、この開閉部材を動作させる始動口ソレノイド１３ｂによって、遊技球を受入困難な閉止状態又は遊技球を受入可能な開放状態のいずれか一方に制御される。通常、第２始動口１３は、閉止状態に制御されているが、遊技機１は、作動ゲート１４において遊技球の通過を検出すると、普通図柄抽選によって第２始動口１３を開放状態に制御するか否かを決定する。
【００２６】
遊技領域１０ａの右下部には、開閉扉を有する大入賞口１５が設けられている。通常時には、大入賞口１５は、開閉扉を動作させる大入賞口ソレノイド１５ｂにより閉止状態に制御されているが、当否判定情報を用いた当否判定の判定結果に基づいて開放状態に制御される。また、大入賞口１５の内部には大入賞口１５への入球（入賞）を検出可能な大入賞口センサー１５ａが設けられている。遊技機１は、大入賞口１５への入球を検出すると、所定数の遊技球を上皿５へ払い出すように構成されている。
【００２７】
遊技領域１０ａの下端部には、遊技領域１０ａを流下した遊技球を遊技機１内へ回収するための左右一対のアウト口１６が設けられている。また、遊技領域１０ａの左部には、発射装置７ａにより下側から上側へ向けて発射される遊技球をガイドするための発射レール１７が設けられている。また、液晶表示装置１１の上方には、遊技機１を彩る装飾部材１８が設けられている。
【００２８】
装飾部材１８の背面側には、液晶表示装置１１の正面側で上下方向に移動可能な可動部材１９が設けられている。可動部材１９は、動作によって演出を盛り上げる部材であり、可動部材移動機構１９ａにより昇降動作可能に構成されている。可動部材１９は、通常時には装飾部材１８の背面側に隠れるように位置しているが、遊技中の所定の演出タイミングにおいて液晶表示装置１１の正面側を覆うように下方向へ移動し、演出の終了時に上方向へ戻るように昇降動作する。なお、可動部材１９を動作させる可動部材移動機構１９ａについて詳しくは後述する。
【００２９】
遊技盤１０は、セグメント表示領域１０ｂに遊技に関する情報を表示するためのセグメント表示部２０を備えている。セグメント表示部２０は複数のＬＥＤを有しており、遊技機１は、これらのＬＥＤによる表示の組み合わせによって、第１特図に関する図柄変動表示、第２特図に関する図柄変動表示、第１特図に関する保留数表示、第２特図に関する保留数表示、大当り遊技時における大当り遊技で実行可能なラウンド数の表示、普通図柄に関する図柄変動表示、普通図柄に関する保留数表示、第２始動口１３が開放状態に制御されやすい電サポ状態であるか否かを示す電サポ表示、及び遊技領域１０ａの右側への遊技球の発射を促すタイミングであることを示す右打ち表示を行うことができる。
【００３０】
［電気的構成］
遊技機１は、図３に示すように、遊技の制御を行う主制御基板１００と、遊技球の払い出し制御を行う払出制御基板３００と、主制御基板１００から送信される各種コマンドに基づいて演出制御を行う演出制御基板２００とを備えている。これらの基板は、ＣＰＵと記憶部とを備えており、これらのハードウェア資源を用いて所定の機能を実現する。
【００３１】
主制御基板１００には、演出制御基板２００及び払出制御基板３００に加えて、第１始動口センサー１２ａ、第２始動口センサー１３ａ、大入賞口センサー１５ａ、ゲートセンサー１４ａ、始動口ソレノイド１３ｂ、大入賞口ソレノイド１５ｂ及びセグメント表示部２０等が接続されている。第１始動口センサー１２ａ、第２始動口センサー１３ａ、大入賞口センサー１５ａ、ゲートセンサー１４ａにより遊技球が検出されると、検出信号が主制御基板１００へ送信される。主制御基板１００は、いずれかのセンサーから検出信号を受信すると、遊技の進行に応じた演算によりコマンド又は駆動信号を生成し、演出制御基板２００、払出制御基板３００、始動口ソレノイド１３ｂ、大入賞口ソレノイド１５ｂ及びセグメント表示部２０等へ生成したコマンド又は駆動信号を送信する。
【００３２】
払出制御基板３００には、遊技球を発射するための発射装置７ａ、発射ハンドル７、図示しない遊技機１に併設される台間機、玉貸ボタン、払出装置等が接続されている。また、発射装置７ａには、遊技球を発射する発射モーターや遊技者が発射ハンドル７に触れていることを検知するタッチスイッチが接続されている。払出制御基板３００は、主制御基板１００から送信される払出コマンドに基づく遊技球の払い出し制御や、発射ハンドル７の操作に基づく発射装置７ａへの遊技球の発射信号の送信処理等を実行する。
【００３３】
演出制御基板２００には、液晶表示装置１１、ランプ３、スピーカー４（上部スピーカー４ａ、下部スピーカー４ｂ）、演出操作部８、可動部材移動機構１９ａ等が接続されている。演出制御基板２００は、主制御基板１００から送信される各種コマンドを受信すると、各種コマンドの内容を解析し、液晶表示装置１１、ランプ３、上部スピーカー４ａ、下部スピーカー４ｂ、演出操作部８、可動部材移動機構１９ａ等を用いてコマンドの内容に応じた演出制御を行う。
【００３４】
遊技機１は、遊技中の所定の演出タイミングにおいて可動部材１９を液晶表示装置１１の正面に出現させる演出を実行する。演出制御基板２００は、主制御基板１００から送信されたコマンドに基づいて可動部材１９による演出の実行を決定すると、可動部材移動機構１９ａを動作させることにより可動部材１９を装飾部材１８の背面側に隠れた退避位置から液晶表示装置１１の正面側を覆う演出位置へ移動させる。
【００３５】
［可動部材移動機構の詳細］
可動部材移動機構１９ａは、演出制御基板２００からの制御信号に基づいて可動部材１９を移動制御する機構である。図４から図７には、可動部材移動機構１９ａの回路構成について４つの例がそれぞれ示されている。まず、図４に基づいて可動部材移動機構１９ａの回路構成の例を説明した後、図５から図７に基づいて可動部材移動機構１９ａの回路構成の他の例を説明する。
【００３６】
可動部材移動機構１９ａは、図４に示すように、ステッピングモータ３０と、ステッピングモータ３０に接続されるモータ制御基板４０とを備えている。可動部材移動機構１９ａは、演出制御基板２００からの制御信号をモータ制御基板４０へ入力し、モータ制御基板４０の駆動制御によりステッピングモータ３０を動作させ、ステッピングモータ３０の動作により可動部材１９を移動させる。なお、演出制御基板２００からの制御信号としては、可動部材１９を所定の動作パターンで移動させるようにステッピングモータ３０を動作制御するためのモータ動作制御信号、ステッピングモータ３０へ電源を供給するモータ電源信号、ステッピングモータ３０へ入力する電流を調整するための基準信号等が挙げられるが、図４では基準信号以外の制御信号の図示が省略されている。
【００３７】
＜ステッピングモータ＞
ステッピングモータ３０は、バイポーラ型のステッピングモータであり、一対のコイル（ステータ３０ａ及びステータ３０ｂ）とロータ３０ｃとを備えている。ステッピングモータ３０は、後述するドライバＩＣ４１の４つの電流端子４１ｂと接続されており、ステータ３０ａに対して１から２の電流端子４１ｂより出力される電流を入力し、ステータ３０ｂに対して３から４の電流端子４１ｂより出力される電流を入力するように構成されている。ロータ３０ｃには、図示しない可動部材１９が接続されており、ステッピングモータ３０は、ステータ３０ａ及びステータ３０ｂへ入力される電流によってロータ３０ｃを回転させ、このロータ３０ｃの回転力により可動部材１９を移動させる。
【００３８】
＜モータ制御基板＞
モータ制御基板４０は、演出制御基板２００からの制御信号に基づいてステッピングモータ３０を定電流で駆動制御する基板であり、ステッピングモータ３０を駆動制御するドライバＩＣ４１と、ドライバＩＣ４１に印加する参照電圧を生成する参照電圧生成回路４２とを有している。また、モータ制御基板４０は、遊技盤１０面内に設けられている。
【００３９】
（ドライバＩＣ）
ドライバＩＣ４１は、電圧参照端子４１ａを有しており、この電圧参照端子４１ａに印加される参照電圧に応じて決定される定電流を用いてステッピングモータ３０を駆動制御する。具体的には、ドライバＩＣ４１は、ステッピングモータ３０をバイポーラ駆動するドライバＩＣであって、参照電圧を印加する電圧参照端子４１ａと定電流を出力する４つの電流端子４１ｂとを有しており、電圧参照端子４１ａに印加される参照電圧の大きさに応じて出力する定電流の大きさを決定し、２相励磁のシーケンス又は１−２相励磁のシーケンスに基づき４つの電流端子４１ｂから定電流を切り換えながら出力することによってステッピングモータ３０を駆動制御する。
【００４０】
ところで、遊技機の製造時においては、製造された可動部材移動機構が可動部材を適切に移動できるか否かが検査される。具体的には、製造時の検査において、遊技時よりも小さい電流をモータへ入力してもモータが可動部材を適切に移動させることができるかが検査される。小さい電流をモータへ入力するためには、ドライバＩＣの電圧参照端子へ印加する参照電圧を小さくする必要がある。通常の遊技機では、演出制御基板からの基準信号（Ｈレベル又はＬレベル）が参照電圧としてドライバＩＣの電圧参照端子へ直接印加される。このため、製造時の検査においては、演出制御基板に換わって所望の大きさの参照電圧を生成可能な特別な検査用冶具を用意する必要がある。
【００４１】
一方、遊技機１は、演出制御基板２００又は検査用冶具から出力される基準信号を入力可能であり、基準信号に基づいて生成される参照電圧を電圧参照端子４１ａに印加する参照電圧生成回路４２を備えている。参照電圧生成回路４２は、基準信号に基づいて２種類以上の異なる参照電圧を生成可能に構成されている。このため、遊技機１は、特別な検査用冶具を用意する必要がなく、組み込まれた参照電圧生成回路４２をそのまま用いて検査を行うことができるので、検査効率の観点で優れる。以下、ドライバＩＣ４１に印加する参照電圧を生成する参照電圧生成回路４２について詳しく説明する。
【００４２】
（参照電圧生成回路）
参照電圧生成回路４２は、図４に示すように、基準信号ＥＸＴ１を入力可能な論理素子（２つのＮＯＴゲート５０ａ）を有している。また、参照電圧生成回路４２は、第１のトランジスタＴｒ１を有する第１の配線５１と、第１の配線５１と並列に配設され、第２のトランジスタＴｒ２を有する第２の配線５２と、第１の配線５１及び第２の配線５２の合流部と定電圧電源（＋Ｖ）との間に接続される第３の配線５３と、この合流部と電圧参照端子４１ａとの間に接続される第４の配線５４とを有している。なお、第１の配線５１は抵抗Ｒ１を有し、第２の配線５２は抵抗Ｒ２を有し、第３の配線５３は抵抗Ｒを有しており、第１の配線５１及び第２の配線５２の合流部とは逆側の端部はそれぞれグラウンドに接続されている。また、抵抗Ｒ１及び抵抗Ｒ２は、抵抗値がそれぞれ異なっている。また、トランジスタとしては、バイポーラトランジスタや電界効果トランジスタ（ＭＯＳＦＥＴ）が用いられる。
【００４３】
第１のトランジスタＴｒ１及び第２のトランジスタＴｒ２は、論理素子からの出力信号に基づいて駆動状態を切り換え可能に構成されている。具体的には、基準信号ＥＸＴ１としてＨレベルが入力されると、論理素子から第１のトランジスタＴｒ１への出力信号がＨレベルとなることにより第１のトランジスタＴｒ１がＯＮに制御され、論理素子から第２のトランジスタＴｒ２への出力信号がＬレベルとなることにより第２のトランジスタＴｒ２がＯＦＦに制御される。一方、基準信号ＥＸＴ１としてＬレベルが入力されると、論理素子から第１のトランジスタＴｒ１への出力信号がＬレベルとなることにより第１のトランジスタＴｒ１がＯＦＦに制御され、論理素子から第２のトランジスタＴｒ２への出力信号がＨレベルとなることにより第２のトランジスタＴｒ２がＯＮに制御される。つまり、参照電圧生成回路４２は、入力される基準信号ＥＸＴ１の種類（Ｈレベル又はＬレベル）に応じて第１のトランジスタＴｒ１及び第２のトランジスタＴｒ２のいずれか一方を駆動可能である。
【００４４】
参照電圧生成回路４２は、基準信号ＥＸＴ１を入力可能な論理素子（２つのＮＯＴゲート５０ａ）と、論理素子からの出力信号に基づいて駆動状態を切り換え可能な第１のトランジスタＴｒ１及び第２のトランジスタＴｒ２とを有しているので、これらのトランジスタの駆動状態に応じて２種類の異なる参照電圧を生成可能である。具体的には、基準信号ＥＸＴ１としてＨレベルが入力される場合には、第４の配線５４から電圧参照端子４１ａに印加される参照電圧が、定電圧電源の電圧Ｖ、第１の配線５１の抵抗Ｒ１及び第３の配線５３の抵抗Ｒにより決定され（Ｖｒｅｆ１＝Ｖ×Ｒ１／（Ｒ１＋Ｒ））、基準信号ＥＸＴ１としてＬレベルが入力される場合には、第４の配線５４から電圧参照端子４１ａに印加される参照電圧が、定電圧電源の電圧Ｖ、第２の配線５２の抵抗Ｒ２及び第３の配線５３の抵抗Ｒにより決定される（Ｖｒｅｆ２＝Ｖ×Ｒ２／（Ｒ２＋Ｒ））。なお、遊技時に基準信号ＥＸＴ１としてＨレベルが入力され、検査時に基準信号ＥＸＴ１としてＬレベルが入力される場合には、例えば、Ｖｒｅｆ２＝０．８×Ｖｒｅｆ１となるように抵抗Ｒ１、抵抗Ｒ２及び抵抗Ｒの抵抗値がそれぞれ設定されるとよい。
【００４５】
以上のように、参照電圧生成回路４２は、基準信号を入力可能な論理素子を有し、論理素子からの出力信号に基づいて２種類の異なる参照電圧を生成可能である。論理素子は、１系統の基準信号（Ｈレベル又はＬレベル）から２種類の出力信号（Ｈレベル及びＬレベル）を生成できるので、参照電圧生成回路４２は、１系統の基準信号から２種類の参照電圧を生成できる。遊技機１は、参照電圧生成回路４２に基準信号を入力可能な論理素子を設ける構成であるので、論理素子を利用しない場合に比べて参照電圧生成回路４２の設計自由度を向上させることができる。また、参照電圧生成回路４２は、参照電圧生成回路４２への基準信号が１系統のみであっても２種類の異なる参照電圧を生成できる点で特に顕著である。
【００４６】
図５は可動部材移動機構１９ａの回路構成の第２例を示している。図５に示す回路構成は、図４に示す回路構成と比べて基準信号の数及び参照電圧生成回路の内容が異なり、他の部分は一致する。
【００４７】
参照電圧生成回路４３は、図５に示すように、基準信号ＥＸＴ１及び基準信号ＥＸＴφを入力可能な論理素子（３つのＮＯＴゲート５０ａ）を有している。また、参照電圧生成回路４３は、第１のトランジスタＴｒ１を有する第１の配線６１と、第１の配線６１と並列に配設され、第２のトランジスタＴｒ２を有する第２の配線６２と、第１の配線６１及び第２の配線６２と並列に配設され、第３のトランジスタＴｒ３を有する第３の配線６３と、第１の配線６１、第２の配線６２及び第３の配線６３の合流部と定電圧電源（＋Ｖ）との間に接続される第４の配線６４と、この合流部と電圧参照端子４１ａとの間に接続される第５の配線６５とを有している。なお、第１の配線６１は抵抗Ｒ１を有し、第２の配線６２は抵抗Ｒ２を有し、第３の配線６３は抵抗Ｒ３を有し、第４の配線６４は抵抗Ｒを有しており、第１の配線６１、第２の配線６２及び第３の配線６３の合流部とは逆側の端部はそれぞれグラウンドに接続されている。また、抵抗Ｒ１、抵抗Ｒ２及び抵抗Ｒ３は、抵抗値がそれぞれ異なっている。
【００４８】
第１のトランジスタＴｒ１及び第２のトランジスタＴｒ２は、論理素子からの出力信号に基づいて駆動状態を切り換え可能に構成されている。具体的には、基準信号ＥＸＴ１としてＨレベルが入力されると、論理素子から第１のトランジスタＴｒ１への出力信号がＨレベルとなることにより第１のトランジスタＴｒ１がＯＮに制御され、論理素子から第２のトランジスタＴｒ２への出力信号がＬレベルとなることにより第２のトランジスタＴｒ２がＯＦＦに制御される。一方、基準信号ＥＸＴ１としてＬレベルが入力されると、論理素子から第１のトランジスタＴｒ１への出力信号がＬレベルとなることにより第１のトランジスタＴｒ１がＯＦＦに制御され、論理素子から第２のトランジスタＴｒ２への出力信号がＨレベルとなることにより第２のトランジスタＴｒ２がＯＮに制御される。つまり、参照電圧生成回路４３は、入力される基準信号ＥＸＴ１の種類（Ｈレベル又はＬレベル）に応じて第１のトランジスタＴｒ１及び第２のトランジスタＴｒ２のいずれか一方を駆動可能である。
【００４９】
また、第３のトランジスタＴｒ３も、論理素子からの出力信号に基づいて駆動状態を切り換え可能に構成されている。具体的には、基準信号ＥＸＴφとしてＨレベルが入力されると、論理素子から第３のトランジスタＴｒ３への出力信号がＬレベルとなることにより第３のトランジスタＴｒ３がＯＦＦに制御される。一方、基準信号ＥＸＴφとしてＬレベルが入力されると、論理素子から第３のトランジスタＴｒ３への出力信号がＨレベルとなることにより第３のトランジスタＴｒ３がＯＮに制御される。つまり、参照電圧生成回路４３は、入力される基準信号ＥＸＴφの種類（Ｈレベル又はＬレベル）に応じて第３のトランジスタＴｒ３の駆動状態を切り換え可能である。
【００５０】
参照電圧生成回路４３は、基準信号ＥＸＴ１及び基準信号ＥＸＴφを入力可能な論理素子（３つのＮＯＴゲート５０ａ）と、論理素子からの出力信号に基づいて駆動状態を切り換え可能な第１のトランジスタＴｒ１、第２のトランジスタＴｒ２及び第３のトランジスタＴｒ３とを有しているので、これらのトランジスタの駆動状態に応じて４種類の異なる参照電圧を生成可能である。具体的には、基準信号ＥＸＴ１としてＨレベルが入力され、基準信号ＥＸＴφとしてＨレベルが入力される場合には、第５の配線６５から電圧参照端子４１ａに印加される参照電圧が、定電圧電源の電圧Ｖ、第１の配線６１の抵抗Ｒ１及び第４の配線６４の抵抗Ｒにより決定され、基準信号ＥＸＴ１としてＨレベルが入力され、基準信号ＥＸＴφとしてＬレベルが入力される場合には、第５の配線６５から電圧参照端子４１ａに印加される参照電圧が、定電圧電源の電圧Ｖ、第１の配線６１の抵抗Ｒ１、第３の配線６３の抵抗Ｒ３及び第４の配線６４の抵抗Ｒにより決定される。また、基準信号ＥＸＴ１としてＬレベルが入力され、基準信号ＥＸＴφとしてＨレベルが入力される場合には、第５の配線６５から電圧参照端子４１ａに印加される参照電圧が、定電圧電源の電圧Ｖ、第２の配線６２の抵抗Ｒ２及び第４の配線６４の抵抗Ｒにより決定され、基準信号ＥＸＴ１としてＬレベルが入力され、基準信号ＥＸＴφとしてＬレベルが入力される場合には、第５の配線６５から電圧参照端子４１ａに印加される参照電圧が、定電圧電源の電圧Ｖ、第２の配線６２の抵抗Ｒ２、第３の配線６３の抵抗Ｒ３及び第４の配線６４の抵抗Ｒにより決定される。
【００５１】
以上のように、参照電圧生成回路４３は、２系統の基準信号を入力可能な論理素子を有し、論理素子からの出力信号に基づいて４種類の異なる参照電圧を生成可能である。論理素子は、２系統の基準信号から４種類の出力信号を生成できる。遊技機１は、参照電圧生成回路４３に基準信号を入力可能な論理素子を設ける構成であるので、論理素子を利用しない場合に比べて参照電圧生成回路４３の設計自由度を向上させることができる。また、参照電圧生成回路４３は、４種類の異なる参照電圧を生成可能であるので、ドライバＩＣ４１がステッピングモータ３０へ出力する定電流の大きさを様々に調整可能とする点で特に顕著である。
【００５２】
図６は可動部材移動機構１９ａの回路構成の第３例を示している。図６に示す回路構成は、図５に示す回路構成と比べて参照電圧生成回路の内容のみが異なり、他の部分は一致する。
【００５３】
参照電圧生成回路４４は、図６に示すように、基準信号ＥＸＴ１及び基準信号ＥＸＴφを入力可能な論理素子（４つのＮＯＴゲート５０ａ、１つのＮＯＲゲート５０ｂ及び３つのＮＡＮＤゲート５０ｃ）を有している。また、参照電圧生成回路４４は、第１のトランジスタＴｒ１を並列に有する第１の配線７１と、第１の配線７１と直列に接続され、第２のトランジスタＴｒ２を並列に有する第２の配線７２と、第２の配線７２の第１の配線７１側とは逆側において第２の配線７２と直列に接続され、第３のトランジスタＴｒ３を並列に有する第３の配線７３と、第３の配線７３の第２の配線７２側とは逆側において第３の配線７３と直列に接続され、第４のトランジスタＴｒ４を並列に有する第４の配線７４と、第１の配線７１の第２の配線７２側とは逆側において第１の配線７１と定電圧電源と（＋Ｖ）の間に接続される第５の配線７５と、第１の配線７１及び第５の配線７５の合流部と電圧参照端子４１ａとの間に接続される第６の配線７６とを有している。また、参照電圧生成回路４４は、第４の配線７４の第３の配線７３側とは逆側に第７の配線７７を更に有している。なお、第１の配線７１は抵抗Ｒ１を有し、第２の配線７２は抵抗Ｒ２を有し、第３の配線７３は抵抗Ｒ３を有し、第４の配線７４は抵抗Ｒ４を有し、第５の配線７５は抵抗Ｒを有し、第７の配線７７は抵抗Ｒ５を有しており、第７の配線７７の第４の配線７４とは逆側の端部はグラウンドに接続されている。また抵抗Ｒ１、抵抗Ｒ２、抵抗Ｒ３、抵抗Ｒ４及び抵抗Ｒ５は、抵抗値がそれぞれ異なっている。
【００５４】
第１のトランジスタＴｒ１、第２のトランジスタＴｒ２、第３のトランジスタＴｒ３及び第４のトランジスタＴｒ４は、論理素子からの出力信号に基づいて駆動状態を切り換え可能に構成されている。具体的には、基準信号ＥＸＴ１としてＨレベルが入力され、基準信号ＥＸＴφとしてＨレベルが入力されると、第１のトランジスタＴｒ１がＯＮ、第２のトランジスタＴｒ２がＯＮ、第３のトランジスタＴｒ３がＯＮ、第４のトランジスタＴｒ４がＯＮにそれぞれ制御される。また、基準信号ＥＸＴ１としてＨレベルが入力され、基準信号ＥＸＴφとしてＬレベルが入力されると、第１のトランジスタＴｒ１がＯＮ、第２のトランジスタＴｒ２がＯＮ、第３のトランジスタＴｒ３がＯＦＦ、第４のトランジスタＴｒ４がＯＦＦにそれぞれ制御される。また、基準信号ＥＸＴ１としてＬレベルが入力され、基準信号ＥＸＴφとしてＨレベルが入力されると、第１のトランジスタＴｒ１がＯＮ、第２のトランジスタＴｒ２がＯＦＦ、第３のトランジスタＴｒ３がＯＮ、第４のトランジスタＴｒ４がＯＦＦにそれぞれ制御される。また、基準信号ＥＸＴ１としてＬレベルが入力され、基準信号ＥＸＴφとしてＬレベルが入力されると、第１のトランジスタＴｒ１がＯＦＦ、第２のトランジスタＴｒ２がＯＮ、第３のトランジスタＴｒ３がＯＮ、第４のトランジスタＴｒ４がＯＦＦにそれぞれ制御される。つまり、参照電圧生成回路４４は、入力される基準信号ＥＸＴ１の種類（Ｈレベル又はＬレベル）及び基準信号ＥＸＴφの種類（Ｈレベル又はＬレベル）に応じて第１のトランジスタＴｒ１、第２のトランジスタＴｒ２、第３のトランジスタＴｒ３及び第４のトランジスタＴｒ４を様々な組み合わせで駆動可能である。
【００５５】
参照電圧生成回路４４は、基準信号ＥＸＴ１及び基準信号ＥＸＴφを入力可能な論理素子（４つのＮＯＴゲート５０ａ、１つのＮＯＲゲート５０ｂ及び３つのＮＡＮＤゲート５０ｃ）と、論理素子からの出力信号に基づいて駆動状態を切り換え可能な第１のトランジスタＴｒ１、第２のトランジスタＴｒ２、第３のトランジスタＴｒ３及び第４のトランジスタＴｒ４とを有しているので、これらのトランジスタの駆動状態に応じて４種類の異なる参照電圧を生成可能である。具体的には、基準信号ＥＸＴ１としてＨレベルが入力され、基準信号ＥＸＴφとしてＨレベルが入力される場合には、第６の配線７６から電圧参照端子４１ａに印加される参照電圧が、定電圧電源の電圧Ｖ、第５の配線７５の抵抗Ｒ及び第７の配線７７の抵抗Ｒ５により決定され、基準信号ＥＸＴ１としてＨレベルが入力され、基準信号ＥＸＴφとしてＬレベルが入力される場合には、第６の配線７６から電圧参照端子４１ａに印加される参照電圧が、定電圧電源の電圧Ｖ、第３の配線７３の抵抗Ｒ３、第４の配線７４の抵抗Ｒ４、第５の配線７５の抵抗Ｒ及び第７の配線７７の抵抗Ｒ５により決定される。また、基準信号ＥＸＴ１としてＬレベルが入力され、基準信号ＥＸＴφとしてＨレベルが入力される場合には、第６の配線７６から電圧参照端子４１ａに印加される参照電圧が、定電圧電源の電圧Ｖ、第２の配線７２の抵抗Ｒ２、第４の配線７４の抵抗Ｒ４、第５の配線７５の抵抗Ｒ及び第７の配線７７の抵抗Ｒ５により決定され、基準信号ＥＸＴ１としてＬレベルが入力され、基準信号ＥＸＴφとしてＬレベルが入力される場合には、第６の配線７６から電圧参照端子４１ａに印加される参照電圧が、定電圧電源の電圧Ｖ、第１の配線７１の抵抗Ｒ１、第４の配線７４の抵抗Ｒ４、第５の配線７５の抵抗Ｒ及び第７の配線７７の抵抗Ｒ５により決定される。
【００５６】
以上のように、参照電圧生成回路４４は、２系統の基準信号を入力可能な論理素子を有し、論理素子からの出力信号に基づいて４種類の異なる参照電圧を生成可能である。論理素子は、２系統の基準信号から４種類の出力信号を生成できる。遊技機１は、参照電圧生成回路４４に基準信号を入力可能な論理素子を設ける構成であるので、論理素子を利用しない場合に比べて参照電圧生成回路４４の設計自由度を向上させることができる。また、参照電圧生成回路４４は、４種類の異なる参照電圧を生成可能であるので、ドライバＩＣ４１がステッピングモータ３０へ出力する定電流の大きさを様々に調整可能とする点で特に顕著である。
【００５７】
図７は可動部材移動機構１９ａの回路構成の第４例を示している。図７に示す回路構成は、図６に示す回路構成と比べて参照電圧生成回路の内容のみが異なり、他の部分は一致する。
【００５８】
参照電圧生成回路４５は、図７に示すように、基準信号ＥＸＴ１及び基準信号ＥＸＴφを入力可能な論理素子（３つのＮＯＴゲート５０ａ、１つのＮＯＲゲート５０ｂ及び２つのＮＡＮＤゲート５０ｃ）を有している。また、参照電圧生成回路４５は、第１のトランジスタＴｒ１を並列に有する第１の配線８１と、第１の配線８１と直列に接続され、第２のトランジスタＴｒ２を並列に有する第２の配線８２と、第２の配線８２の第１の配線８１側とは逆側において第２の配線８２と直列に接続され、第３のトランジスタＴｒ３を並列に有する第３の配線８３と、第１の配線８１の第２の配線８２側とは逆側において第１の配線８１と定電圧電源と（＋Ｖ）の間に接続される第４の配線８４と、第１の配線８１及び第４の配線８４の合流部と電圧参照端子４１ａとの間に接続される第５の配線８５とを有している。また、参照電圧生成回路４５は、第３の配線８３の第２の配線８２側とは逆側に第６の配線８６を更に有している。なお、第１の配線８１は抵抗Ｒ１を有し、第２の配線８２は抵抗Ｒ２を有し、第３の配線８３は抵抗Ｒ３を有し、第４の配線８４は抵抗Ｒを有し、第６の配線８６は抵抗Ｒ４を有しており、第６の配線８６の第３の配線８３とは逆側の端部はグラウンドに接続されている。また、抵抗Ｒ１、抵抗Ｒ２、抵抗Ｒ３及び抵抗Ｒ４は、抵抗値がそれぞれ異なっている。参照電圧生成回路４５は、図６の参照電圧生成回路４４から第４の配線７４を取り除いた構成である。
【００５９】
参照電圧生成回路４５の第１のトランジスタＴｒ１、第２のトランジスタＴｒ２及び第３のトランジスタＴｒ３は、図６の参照電圧生成回路４４の第１のトランジスタＴｒ１、第２のトランジスタＴｒ２及び第３のトランジスタＴｒ３と同様に駆動可能である。したがって、参照電圧生成回路４５は、これらのトランジスタの駆動状態に応じて４種類の異なる参照電圧を生成可能である。具体的には、基準信号ＥＸＴ１としてＨレベルが入力され、基準信号ＥＸＴφとしてＨレベルが入力される場合には、第５の配線８５から電圧参照端子４１ａに印加される参照電圧が、定電圧電源の電圧Ｖ、第４の配線８４の抵抗Ｒ及び第６の配線８６の抵抗Ｒ４により決定され、基準信号ＥＸＴ１としてＨレベルが入力され、基準信号ＥＸＴφとしてＬレベルが入力される場合には、第５の配線８５から電圧参照端子４１ａに印加される参照電圧が、定電圧電源の電圧Ｖ、第３の配線８３の抵抗Ｒ３、第４の配線８４の抵抗Ｒ及び第６の配線８６の抵抗Ｒ４により決定される。また、基準信号ＥＸＴ１としてＬレベルが入力され、基準信号ＥＸＴφとしてＨレベルが入力される場合には、第５の配線８５から電圧参照端子４１ａに印加される参照電圧が、定電圧電源の電圧Ｖ、第２の配線８２の抵抗Ｒ２、第４の配線８４の抵抗Ｒ及び第６の配線８６の抵抗Ｒ４により決定され、基準信号ＥＸＴ１としてＬレベルが入力され、基準信号ＥＸＴφとしてＬレベルが入力される場合には、第５の配線８５から電圧参照端子４１ａに印加される参照電圧が、定電圧電源の電圧Ｖ、第１の配線８１の抵抗Ｒ１、第４の配線８４の抵抗Ｒ及び第６の配線８６の抵抗Ｒ４により決定される。
【００６０】
以上のように、参照電圧生成回路４５は、２系統の基準信号を入力可能な論理素子を有し、論理素子からの出力信号に基づいて４種類の異なる参照電圧を生成可能である。論理素子は、２系統の基準信号から４種類の出力信号を生成できる。遊技機１は、参照電圧生成回路４５に基準信号を入力可能な論理素子を設ける構成であるので、論理素子を利用しない場合に比べて参照電圧生成回路４５の設計自由度を向上させることができる。また、参照電圧生成回路４５は、４種類の異なる参照電圧を生成可能であるので、ドライバＩＣ４１がステッピングモータ３０へ出力する定電流の大きさを様々に調整可能とする点で特に顕著である。
【００６１】
［その他の実施形態］
本発明は、上記実施形態に限定されない。
【００６２】
上記実施形態では、図４から図７に基づいて可動部材移動機構１９ａの回路構成の例を説明したが、可動部材移動機構１９ａの参照電圧生成回路は、図４から図７に示されるものに限定されない。図４に示すように、参照電圧生成回路は、１系統の基準信号を入力可能な論理素子を有し、論理素子からの出力信号に基づいて２種類の異なる参照電圧を生成可能であってもよいし、図５から図７に示すように、参照電圧生成回路は、２系統の基準信号を入力可能な論理素子を有し、論理素子からの出力信号に基づいて４種類の異なる参照電圧を生成可能であってもよいが、例えば、参照電圧生成回路は、２系統以上の基準信号を入力可能な論理素子を有し、論理素子からの出力信号に基づいて３種類以上の異なる参照電圧を生成可能であってもよい。
【００６３】
上記実施形態では、参照電圧生成回路が、２から４のトランジスタを有するものについて説明したが、参照電圧生成回路は、２以上のトランジスタを有していればよい。
【００６４】
上記実施形態では、可動部材１９が遊技盤１０に設けられ、ドライバＩＣ及び参照電圧生成回路を有するモータ制御基板４０が遊技盤１０面内に設けられているものについて説明したが、これに限定されない。例えば、可動部材１９が前面枠２に設けられ、モータ制御基板４０が前面枠２内設けられているものであってもよい。
【００６５】
上記実施形態では、配線に設けられる抵抗の抵抗値が配線ごとに異なるものについて説明したが、これに限定されない。例えば、配線に設けられる抵抗は、可変抵抗であってもよい。抵抗が可変抵抗であれば、遊技機１にモータ制御基板４０が組み込まれる前の任意のタイミングで抵抗の抵抗値を設定できるので、参照電圧生成回路の設計自由度を更に向上させることができる。
【００６６】
上記実施形態では、参照電圧生成回路の論理素子として負論理の論理素子のみを採用するものについて説明したが、論理素子は負論理の論理素子に限定されない。例えば、参照電圧生成回路の論理素子として正論理の論理素子が用いられてもよく、正論理の論理素子と負論理の論理素子とが組み合わせて用いられてもよい。
【００６７】
上記実施形態では、演出制御基板２００からの制御信号に基づいて可動部材１９を移動制御する可動部材移動機構１９ａについて説明したが、可動部材移動機構１９ａは、演出制御基板２００からの制御信号に基づいて可動部材１９を移動制御するものに限定されない。例えば、可動部材移動機構は、払出制御基板３００からの制御信号に基づいて可動部材を移動制御するものであってもよい。
【００６８】
上記実施形態によりサポートされる遊技機について、以下に付記する。
【００６９】
［付記０］
ステッピングモータと、電圧参照端子を有し、前記電圧参照端子に印加される参照電圧に応じて決定される定電流を用いて前記ステッピングモータを駆動制御するドライバＩＣと、演出制御基板又は検査用冶具から出力される基準信号を入力可能であり、前記基準信号に基づいて生成される参照電圧を前記電圧参照端子に印加する参照電圧生成回路とを備え、前記参照電圧生成回路が、前記基準信号に基づいて２種類以上の異なる前記参照電圧を生成可能である遊技機。
【００７０】
付記０の遊技機は、参照電圧生成回路を備える構成であるので、ステッピングモータに供給する電流の大きさを容易に変更できる。
【００７１】
［付記１］
ステッピングモータと、電圧参照端子を有し、前記電圧参照端子に印加される参照電圧に応じて決定される定電流を用いて前記ステッピングモータを駆動制御するドライバＩＣと、演出制御基板又は検査用冶具から出力される基準信号を入力可能であり、前記基準信号に基づいて生成される参照電圧を前記電圧参照端子に印加する参照電圧生成回路とを備え、前記参照電圧生成回路が、前記基準信号を入力可能な論理素子を有し、前記論理素子からの出力信号に基づいて２種類以上の異なる前記参照電圧を生成可能である遊技機。
【００７２】
付記１の遊技機は、参照電圧生成回路に基準信号を入力可能な論理素子を設ける構成であるので、ステッピングモータに供給する電流の大きさを変更するための回路である参照電圧生成回路の設計自由度を向上させることができる。
【００７３】
［付記２］
前記参照電圧生成回路が、前記論理素子からの出力信号に基づいて駆動状態を切り換え可能なトランジスタを２以上有し、前記トランジスタの駆動状態に応じて異なる前記参照電圧を生成可能である付記１に記載の遊技機。
【００７４】
付記２の遊技機は、参照電圧生成回路が、論理素子からの出力信号に基づいてトランジスタの駆動状態を切り換え、トランジスタの駆動状態に応じて異なる参照電圧を生成できる構成であるので、参照電圧生成回路の設計自由度を向上させることができる。
【００７５】
［付記３］
前記参照電圧生成回路が、第１のトランジスタを有する第１の配線と、前記第１の配線と並列に配設され、第２のトランジスタを有する第２の配線と、前記第１の配線及び前記第２の配線の合流部と定電圧電源との間に接続される第３の配線と、前記合流部と前記電圧参照端子との間に接続される第４の配線とを有し、入力される前記基準信号の種類に応じて前記第１のトランジスタ及び前記第２のトランジスタのいずれか一方を駆動可能である付記２に記載の遊技機。
【００７６】
付記３の遊技機は、入力される基準信号の種類に応じて第１のトランジスタ及び第２のトランジスタのいずれか一方を駆動できるので、２種類の異なる参照電圧を適切に生成できる。
【００７７】
［付記４］
ステッピングモータと、電圧参照端子を有し、前記電圧参照端子に印加される参照電圧に応じて決定される定電流を用いて前記ステッピングモータを駆動制御するドライバＩＣと、演出制御基板又は検査用冶具から出力される２系統以上の基準信号を入力可能であり、前記基準信号に基づいて生成される参照電圧を前記電圧参照端子に印加する参照電圧生成回路とを備え、前記参照電圧生成回路が、前記基準信号を入力可能な論理素子を有し、前記論理素子からの出力信号に基づいて３種類以上の異なる前記参照電圧を生成可能である遊技機。
【００７８】
付記４の遊技機は、参照電圧生成回路に２系統以上の基準信号を入力可能な論理素子を設ける構成であるので、ステッピングモータに供給する電流の大きさを変更するための回路である参照電圧生成回路の設計自由度を向上させることができる。
【００７９】
［付記５］
前記参照電圧生成回路が、前記論理素子からの出力信号に基づいて駆動状態を切り換え可能なトランジスタを３以上有し、前記トランジスタの駆動状態に応じて異なる前記参照電圧を生成可能である付記４に記載の遊技機。
【００８０】
付記５の遊技機は、参照電圧生成回路が、論理素子からの出力信号に基づいて３以上のトランジスタの駆動状態を切り換え、トランジスタの駆動状態に応じて異なる参照電圧を生成できる構成であるので、参照電圧生成回路の設計自由度を向上させることができる。
【００８１】
［付記６］
前記参照電圧生成回路が、第１のトランジスタを並列に有する第１の配線と、前記第１の配線と直列に接続され、第２のトランジスタを並列に有する第２の配線と、前記第２の配線の前記第１の配線側とは逆側において前記第２の配線と直列に接続され、第３のトランジスタを並列に有する第３の配線と、前記第１の配線の前記第２の配線側とは逆側において前記第１の配線と定電圧電源との間に接続される第４の配線と、前記第１の配線及び前記第４の配線の合流部と前記電圧参照端子との間に接続される第５の配線とを有し、入力される前記基準信号の種類に応じて前記第１のトランジスタ、前記第２のトランジスタ及び前記第３のトランジスタの１又は複数を駆動可能である付記５に記載の遊技機。
【００８２】
付記６の遊技機は、入力される２系統以上の基準信号の種類に応じて第１のトランジスタ第２のトランジスタ及び第３のトランジスタの１又は複数を駆動できるので、３種類以上の異なる参照電圧を適切に生成できる。
【００８３】
［付記７］
前記ドライバＩＣ及び前記参照電圧生成回路が、遊技盤面内の基板に設けられる付記１から付記６のいずれか１項に記載の遊技機。
【００８４】
付記７の遊技機は、遊技盤面内の基板にドライバＩＣ及び参照電圧生成回路を設けるので、遊技盤において可動部材を動作させる可動部材移動機構を構成することができる。
【００８５】
［付記８］
前記参照電圧生成回路が、前記演出制御基板から出力されるＨレベルの基準信号を入力可能であり、前記検査用冶具から出力されるＬレベルの基準信号を入力可能である付記１から付記７のいずれか１項に記載の遊技機。
【００８６】
付記８の遊技機は、遊技時に演出制御基板を参照電圧生成回路に接続し、検査時に検査用冶具を参照電圧生成回路に接続することによって、市場に投入される際に演出制御基板からの基準信号によりステッピングモータを正規のトルクで駆動させ、検査時に検査用冶具からの基準信号によりステッピングモータを正規よりも低いトルクで駆動させることができる。
【符号の説明】
【００８７】
１  遊技機
２  前面枠
２ａ  窓部
３  ランプ
４  スピーカー
４ａ  上部スピーカー
４ｂ  下部スピーカー
５  上皿
６  下皿
７  発射ハンドル
７ａ  発射装置
８  演出操作部
１０  遊技盤
１０ａ  遊技領域
１０ｂ  セグメント表示領域
１１  液晶表示装置
１２  第１始動口
１２ａ  第１始動口センサー
１３  第２始動口
１３ａ  第２始動口センサー
１３ｂ  始動口ソレノイド
１４  作動ゲート
１４ａ  ゲートセンサー
１５  大入賞口
１５ａ  大入賞口センサー
１５ｂ  大入賞口ソレノイド
１６  アウト口
１７  発射レール
１８  装飾部材
１９  可動部材
１９ａ  可動部材移動機構
２０  セグメント表示部
３０  ステッピングモータ
３０ａ，３０ｂ  ステータ
３０ｃ  ロータ
４０  モータ制御基板
４１  ドライバＩＣ
４１ａ  電圧参照端子
４１ｂ  電流端子
４２〜４５  参照電圧生成回路
５０ａ  ＮＯＴゲート
５０ｂ  ＮＯＲゲート
５０ｃ  ＮＡＮＤゲート
５１〜５４，６１〜６５，７１〜７７，８１〜８６  配線
１００  主制御基板
２００  演出制御基板
３００  払出制御基板
【図１】
2020006035.tif 000003
【図２】
2020006035.tif 000004
【図３】
2020006035.tif 000005
【図４】
2020006035.tif 000006
【図５】
2020006035.tif 000007
【図６】
2020006035.tif 000008
【図７】
2020006035.tif 000009